(57)【要約】      （修正有）【課題】使用時においても見た目の華やかさ、面白さのある芳香・消臭剤用容器を提供する。【解決手段】液状の芳香剤又は／及び消臭剤を収容する透明な本体部１０２と、本体部の略中央に上方から挿入されて液状の芳香剤又は／及び消臭剤を吸い上げる液吸芯１３０を有してなる芳香・消臭剤用容器であって、本体部の外周面の一部に貼付され、貼付面側に第１の所定デザインが施された背景シート１７０と、本体部内且つ背景シートが貼付されている側から液吸芯を挟んで反対側の位置に配置され第２の所定デザインが施された透明シート１８０と、を備える。【選択図】図１
0003172249.tif 000002
【実用新案登録請求の範囲】
【請求項１】
液状の芳香剤又は／及び消臭剤を収容する透明な本体部と、当該本体部の略中央に上方から挿入されて前記液状の芳香剤又は／及び消臭剤を吸い上げる液吸芯を有してなる芳香・消臭剤用容器であって、
前記本体部の外周面の一部に貼付され、貼付面側に第１の所定デザインが施された背景シートと、
前記本体部内且つ前記背景シートが貼付されている側から前記液吸芯を挟んで反対側の位置に配置され第２の所定デザインが施された透明シートと、を備える
ことを特徴とする芳香・消臭剤用容器。
【請求項２】
液状の芳香剤又は／及び消臭剤を収容する透明な本体部と、当該本体部の略中央に上方から挿入されて前記液状の芳香剤又は／及び消臭剤を吸い上げる液吸芯を有してなる芳香・消臭剤用容器であって、
所定のデザインが施された筒状の透明シートが前記液吸芯を内包するように配置されている
ことを特徴とする芳香・消臭剤用容器。
【請求項３】
請求項１において、
前記透明シートの幅が、前記本体部の内面幅より僅かに小さいサイズで構成されている
ことを特徴とする芳香・消臭剤用容器。
【請求項４】
請求項１〜３のいずれかにおいて、
前記透明シートは前記液状の芳香剤又は／及び消臭剤の中に入れると浮力により浮かびうる素材で構成されると共に、前記透明シートの高さが前記本体部に最初に収容される前記液状の芳香剤又は／及び消臭剤の液面高さよりも低くなるように構成されている
ことを特徴とする芳香・消臭剤用容器。
【考案の詳細な説明】
【技術分野】
【０００１】
本考案は、台所やトイレ、玄関などで使用する芳香剤や消臭剤を収容するための容器に関する。
【背景技術】
【０００２】
例えば、特許文献１のような芳香・消臭剤用容器が知られている。この容器は主として、液状の芳香剤又は／及び消臭剤（以下単に「芳香・消臭剤」という。）を収容する本体部と、当該本体部の上部に嵌着するカバー部とからなる。この芳香・消臭剤用容器では、本体部略中央に上下方向に設置された液吸芯で芳香・消臭剤を吸い上げると共に、当該吸い上げた芳香・消臭剤をカバー部側に設置された揮散マットを介して大気に揮散させる。
【先行技術文献】
【特許文献】
【０００３】
【特許文献１】登録実用新案第３１６４１１３号公報
【考案の概要】
【考案が解決しようとする課題】
【０００４】
しかしながら、上記芳香・消臭剤用容器の場合、流通時は容器全体が例えばシュリンクフィルム等によりラッピングされて商標名等が目立つような態様であるが、使用時はこのシュリンクフィルム等を取り去って使用されているケースが殆どである。また容器の本体部は液の残量が目視で容易に確認することができるように透明（有色透明も含む、以下同じ。）とされているので、収容される液剤が透明製のものであるような場合、シンプルではあるものの、ある意味装飾性に乏しく「見た目の華やかさに乏しい」、「見た目の面白さに乏しい」といった印象を拭いきれないのが現状である。更に、透明な本体部及び透明な液剤の組み合わせの場合、液吸芯の全体がそのまま外部から見えてしまう点も改善の余地があった。
【０００５】
本考案は、これらの問題点を解決するべくなされたものである。
【課題を解決するための手段】
【０００６】
上記課題を解消するべく、本考案は、液状の芳香剤又は／及び消臭剤を収容する透明な本体部と、当該本体部の略中央に上方から挿入されて前記液状の芳香剤又は／及び消臭剤を吸い上げる液吸芯を有してなる芳香・消臭剤用容器であって、前記本体部の外周面の一部に貼付され、貼付面側に第１の所定デザインが施された背景シートと、前記本体部内且つ前記背景シートが貼付されている側から前記液吸芯を挟んで反対側の位置に配置され第２の所定デザインが施された透明シートと、を備えて芳香・消臭剤用容器を構成している。
【０００７】
このような構成としたことによって、容器内で立体感に富んだ演出をすることが可能となった。より具体的には、液吸芯を挟んで一方側の本体部外周面に背景シートを貼付し、液吸芯を挟んで他方側の容器内に透明シートを配置している。背景シートの貼付面には所定のデザイン（例えば海中を表現する模様：珊瑚など）が表現され、透明シート側にも所定のデザイン（例えば熱帯魚など）が表現されているので、海中デザインの背景の中に、熱帯魚がクッキリと浮かび上がるような演出となる。特に透明シートの一部に所定のデザインを施すことによってあたかもそのデザインが透明な液中にポッカリ浮いているような見た目の印象を与えることが可能となっている。これにより、見た目の華やかさや面白さを使用時においても演出することが可能となる。更に、背景シートや透明シート（の特にデザイン部分）の存在によって液吸芯が隠れるので、液吸芯全体が外部から見えてしまうこともない。なおこのとき透明シートの幅を、本体部の内面幅より僅かに小さいサイズに構成しておけば使用経過により液剤の液面が低下したような場合でも透明シートが幅方向のいずれかに偏ったり折れ曲がったりするようなことがない。
【０００８】
また同様に、液状の芳香剤又は／及び消臭剤を収容する透明な本体部と、当該本体部の略中央に上方から挿入されて前記液状の芳香剤又は／及び消臭剤を吸い上げる液吸芯を有してなる芳香・消臭剤用容器であって、所定のデザインが施された筒状の透明シートが前記液吸芯を内包するように配置されるように芳香・消臭剤用容器を構成することも可能である。
【０００９】
このように構成すれば、上述した立体感に富んだ演出に加えて、液吸芯によって透明シートの移動（特に左右方向の移動）が規制且つ支持されることにより、筒状の透明シートが倒れることがない。また、筒状の透明シート（の特にデザイン部分）の存在によって液吸芯がどの方向から見ても隠れるので、視覚的に液吸芯を目立たせなくすることが可能となる。
【００１０】
また、透明シートを液状の芳香剤又は／及び消臭剤の中に入れると浮力により浮かびうる素材で構成すると共に、透明シートの高さを前記本体部に最初に収容される前記液状の芳香剤又は／及び消臭剤の液面高さよりも低くなるように構成してもよい。
【００１１】
このように構成すると、使用経過により液剤の液面が低下すると、それに応じて透明シートが移動するので、見た目の演出に変化を与えることができる。
【００１２】
本考案により、使用時においても見た目の華やかさ、面白さのある芳香・消臭剤用容器を提供することが可能となる。
【図面の簡単な説明】
【００１３】
【図１】本考案に係る芳香・消臭剤用容器の斜視図である。
【図２】本考案に係る芳香・消臭剤用容器の分解組立て図である。
【図３】図２における矢視ＩＩＩ−ＩＩＩ線に沿う断面図である。
【図４】本考案に係る芳香・消臭剤用容器の側面図である。
【図５】本考案に係る芳香・消臭剤用容器の第２実施例を示した斜視図である。
【考案を実施するための形態】
【００１４】
以下、添付図面を参照しつつ、本考案の実施形態の一例につき詳細に説明を加える。なお、図面理解容易の為、各部の大きさや寸法を誇張して表現している部分があり、実際の製品と必ずしも一致しない部分があることを付記しておく。また各図面は符号の向きに見るものとし、当該向きを基本に上下左右、手前、奥と表現する。
【００１５】
〈芳香・消臭剤用容器の構成〉
図１に示しているように、消臭・芳香剤用容器１００は、液状の芳香・消臭剤（図示していない）が収容される本体部１０２と、当該本体部１０２の上方に嵌着するカバー部１０４とを有した概略構成とされている。
【００１６】
本体部１０２は、芳香・消臭剤が収容されるボトル１１０と、当該ボトル１１０内の芳香・消臭剤を吸い上げる液吸芯１３０と、当該液吸芯１３０をボトル１１０のボトル口１１５の中心位置に保持固定する液吸芯支持枠１２０とからなる。なお使用前の流通等の段階では、ボトル口１１５にはネジ部１１４を利用してボトルキャップ（図示していない）が取り付けられるが、ここでは割愛する。
【００１７】
ボトル１１０は透明な樹脂で一体成形されており、平面視略小判型の有底筒である。上部には胴体部より細口となるようにボトル口１１５が形成され、当該ボトル口１１５の周りにネジ部１１４が形成されている。また、ボトル１１０の肩部分にはカバー部１０４を嵌着固定するための嵌合溝１１３が全周に渡って形成されている。
【００１８】
液吸芯支持枠１２０は、丁度ボトル口１１５に圧入できる大きさとされた略独楽状の部材である。中心に液吸芯１３０を貫通させて支持できる中空のスリーブ１２１を備える。当該スリーブ１２１は外枠からテーパ部１２３を介して支持されている。また、外枠の上方外周には全周に渡って張出部１２２が形成されており、当該張出部１２２がボトル口１１５の上端面に当接することで位置決め可能に構成される。
【００１９】
液吸芯１３０は、細長い円柱形状を成し、外周が樹脂製の保護膜で覆われていて、内部は芳香・消臭剤を浸透圧によって吸い上げることができる素材（例えばフェルト素材など）が充填されている。この液吸芯１３０は液吸芯支持枠１２０を介してボトル１１０（ボトル口１１５）の略中心に保持固定される。
【００２０】
本体部１０２を構成するボトル１１０の背面には、ボトル１１０の外側から略矩形の背景シート１７０が貼付されている。この背景シート１７０は貼付面側に貼り付けるための接着剤が塗布されると共に、貼付面側に所定のデザイン（ここでは海中をイメージした珊瑚等のデザイン）が施されている。
【００２１】
また、ボトル１１０内には、一枚の矩形の透明シート１８０が収容されている。この透明シート１８０はボトル口１１５から一時的に丸められてボトル１１０内に入れられる。透明シート１８０は、略中心に熱帯魚のデザインが施されたデザイン部１８２を有し、このデザイン部１８２が透明な樹脂によって両面からラミネート加工（１８０ａ、１８０ｂ）されて構成されている（図３参照）。もちろんこのような構成に限らず、透明シート１８０自体にデザインされていてもよい。また本実施形態においては、この透明シート１８０は、ボトル１１０に充填される液剤に浮く材質で構成されている。
【００２２】
透明シート１８０のボトル１１０内での位置は、液吸芯１３０の手前側に配置される（図４参照）。即ち、液吸芯１３０から見ると丁度背景シート１７０が貼付される側とは反対側の位置に配置される。これにより、透明シート１８０が背景シート１７０側に近付いてしまうことを防止し、背景シート１７０と透明シート１８０との距離感を保つと共に、立体感を演出することができる構成となっている。
【００２３】
また透明シート１８０の幅は、ボトル１１０の内周面幅よりも僅かに小さい程度に構成され、上下方向の移動を許容しつつ、左右方向の移動が制限される構成とされている。
【００２４】
なお、背景シート１７０のデザインや透明シート１８０のデザイン部１８２のデザインの組み合わせは自由であり、何ら制限を受けるものではない。
【００２５】
一方カバー部１０４は、半透明な樹脂で一体成形された化粧カバー１５０と、当該化粧カバー１５０の内側に配置された揮散マット１４０と、当該揮散マット１４０を化粧カバーの天井面１５０ａから保持する１つのＬ字型部材１６０とを有してなる。
【００２６】
化粧カバー１５０は、平面視略小判型の有底筒を上下反転させた基本形状を成し、下方はそのまま開口している。側面外周には規則的に縦長の拡散用側面孔１５１が複数形成されている。また天井面１５０ａの略中心には矩形の１つの拡散用天井面孔１５２が形成されている。
【００２７】
揮散マット１４０は、芳香・消臭材を一定量吸収保持できる素材（例えばフェルト素材）で扁平且つ矩形に形成されている。この揮散マット１４０には、Ｌ字型部材１６０の下面に形成されたピンを差し込むための２つの差込孔１４１が形成されていて、これを利用して揮散マット１４０が、Ｌ字型部材１６０に配置固定されている。
【００２８】
〈芳香・消臭剤用容器の作用・機能〉
流通用のシュリンクラップを取り除き、一旦カバー部１０４全体を取り外した後、ボトル１１０に取り付けられていたボトルキャップ（図示していない）を取り外して再度組み付けて使用する。これにより液剤が液吸芯１３０を介して揮散マット１４０へと伝達される。
【００２９】
本考案にかかる芳香・消臭剤用容器１００は、ボトル１１０自体に背景シート１７０が貼付されると共に、ボトル１１０内にデザイン部１８２を有する透明シート１８０が収容されているので、流通時のシュリンクラップを取り去っても所定のデザインでの演出が可能となっている。更に、背景シート１７０と透明シート１８０は液吸芯１３０を挟んで配置され一定の距離感を常に有しているので、透明シート１８０のデザイン部１８２のデザインが背景にクッキリと浮かび上がり、非常に立体感のある演出が可能となっている。特に本考案では透明シート１８０の一部にデザイン部１８２を設けるという構成を採用することによって、透明な液剤の中にデザイン部１８２が特に強調され、立体感の演出を際立たせている。
【００３０】
また、透明シート１８０の幅は、ボトル幅より僅かに小さい程度に構成されているので、使用経過によって液剤の液面が低下したような場合でも透明シートが幅方向のいずれかに偏ったり折れ曲がったりするようなことがない。
【００３１】
また、透明シート１８０は液剤の中に入れると浮力により浮かびうる素材で構成されているので、例えば、透明シート１８０の高さをボトル１１０に最初に収容される液剤の液面高さよりも低くなるように構成しておけば、使用経過により液剤の液面が低下すると、それに応じて透明シート１８０が上下方向に移動するので、見た目の演出に変化を与えることもできる。
【００３２】
〈その他の実施形態〉
また、透明シート180の構成は上記に限らず、例えば、図5に示したような構成としてもよい。例えばデザイン部１８２を有する透明シート１８０を筒状に構成し、この筒状の透明シート１８０が液吸芯１３０を内包するように配置するのである。
【００３３】
このように構成すれば、上述した立体感に富んだ演出に加えて、液吸芯１３０によって透明シート１８０の移動（特に左右方向の移動）が規制且つ支持されることにより、筒状の透明シート１８０が倒れることがない。また、筒状の透明シート（の特にデザイン部１８２）の存在によって液吸芯１３０がどの方向から見ても隠れるので、視覚的に液吸芯１３０を目立たせなくすることが可能となる。
【符号の説明】
【００３４】
１００…芳香・消臭剤用容器
１０２…本体部
１０４…カバー部
１３０…液吸芯
１７０…背景シート
１８０…透明シート
１８２…デザイン部
【図１】
0003172249.tif 000003
【図２】
0003172249.tif 000004
【図３】
0003172249.tif 000005
【図４】
0003172249.tif 000006
【図５】
0003172249.tif 000007